(57)【要約】【課題】掃除などのメンテナンスの負担を軽減でき、かつ空調エアを室内空間に効率的に供給可能なソックダクト装置を提供する。【解決手段】建物の天井１に空調用のソックダクト装置２０における平らなボード部４０を設置し、穴状の接続部４３を分岐ダクト１１を介して送風ダクト１０と接続する。ボード部４０の周縁部に通気性シート状のソックダクト部２３の周縁部を分離可能に接続する。ソックダクト部２３は、ボード部４０の下方へ膨張可能である。【選択図】図１
2020020535.tif 000002
【特許請求の範囲】
【請求項１】
建物の天井に設置される空調用のソックダクト装置であって、
送風ダクトとの接続部を有する平らなボード部と、
周縁部が前記ボード部の周縁部に分離可能に接続され、前記ボード部の下方へ膨張可能な通気性シート状のソックダクト部と、
を備えたことを特徴とするソックダクト装置。
【請求項２】
前記ボード部の周縁部に沿う環状帯部を有して前記ボード部に係着されるソック上部を備え、前記環状帯部が、前記ソックダクト部の周縁部と分離可能に接続されていることを特徴とする請求項１に記載のソックダクト装置。
【請求項３】
前記ソック上部が、前記環状帯部と、渡し帯部とを含み、
前記環状帯部が、前記ボード部の一対の長辺部に沿う一対の長手帯部分を含み、
前記渡し帯部が、前記ボード部の上面に沿って前記一対の長手帯部分どうしを結ぶように架け渡されていることを特徴とする請求項２に記載のソックダクト装置。
【請求項４】
前記長手帯部分の長手方向に離れた複数箇所にそれぞれ前記渡し帯部が設けられていることを特徴とする請求項３に記載のソックダクト装置。
【請求項５】
前記環状帯部の周縁部に沿って線ファスナーが設けられており、前記ソックダクト部と前記環状帯部とが前記線ファスナーを介して接続されていることを特徴とする請求項２〜４の何れか１項に記載のソックダクト装置。
【請求項６】
前記ソックダクト部が、半円筒状の主シート部と、前記主シート部の両端部に設けられた一対の半円状の端シート部を含むことを特徴とする請求項１〜５の何れか１項に記載のソックダクト装置。
【請求項７】
前記ボード部が、硬質発泡樹脂からなるボード本体と、前記ボード本体の表面に被覆された金属からなる表面層とを含むことを特徴とする請求項１〜６の何れか１項に記載のソックダクト装置。
【発明の詳細な説明】
【技術分野】
【０００１】
本発明は、空調設備におけるソックダクト装置に関し、特に建物の天井に設置されるソックダクト装置に関する。
【背景技術】
【０００２】
例えば特許文献１等には、建物等の空調ダクトとして筒状のソックダクトが用いられている。特許文献１のソックダクトは、不織布やガラスクロス等からなる通気性シートを筒状に形成したものである。該ソックダクトが、建物の天井に沿って水平に延びるようにして吊支持されている。空調機からの送風ダクトがソックダクトの一端部に連なっている。ソックダクトの他端部は閉じられている。空調機からの温調空気が、ソックダクトの一端部に導入され、ソックダクト内を他端部へ向けて流れながら、ソックダクトを透過して室内へ拡散される。
ソックダクトが目詰まりしてきたときは、天井からソックダクトを取り外して掃除機にかける。又は新品と交換する。
【先行技術文献】
【特許文献】
【０００３】
【特許文献１】特開２０１６−１２５７６１号公報
【発明の概要】
【発明が解決しようとする課題】
【０００４】
前掲特許文献１等における円筒形状のソックダクトにおいては、前記内部からの目詰まりに加えて、上側の外周部分に塵埃が付着して堆積しやすい。このため、掃除などのメンテナンスが面倒である。
一方、空調を必要とするのは主にソックダクトの下方の室内空間であり、ソックダクトから上方へ空調エアが吹き出される必要性はあまり無いと言える。
本発明は、かかる事情及び考察に鑑み、掃除などのメンテナンスの負担を軽減でき、かつ空調エアを室内空間に効率的に供給可能なソックダクト装置を提供することを目的とする。
【課題を解決するための手段】
【０００５】
前記問題点を解決するために、本発明は、建物の天井に設置される空調用のソックダクト装置であって、
送風ダクトとの接続部を有する平らなボード部と、
周縁部が前記ボード部の周縁部に分離可能に接続され、前記ボード部の下方へ膨張可能な通気性シート状のソックダクト部と、
を備えたことを特徴とする。
当該ソックダクト装置においては、送風ダクトからの空調エアは、ボード部とソックダクト部との間に導入され、ソックダクト部の全域に拡散されるとともに該ソックダクト部を透過して、天井の下方の室内空間へ吹き出される。
天井の塵埃は、主にボード部の上面に付着される。ソックダクト部の外側面は、下方へ向けられるために塵埃が付着しにくい。したがって、掃除などのメンテナンスの負担が軽減される。
【０００６】
前記ボード部の周縁部に沿う環状帯部を有して前記ボード部に係着されるソック上部を備え、前記環状帯部が、前記ソックダクト部の周縁部と分離可能に接続されていることが好ましい。
これによって、ソックダクト部を、ソック上部を介してボード部に接続できる。メンテナンスの際は、ソックダクト部をソック上部から分離できる。
【０００７】
前記ソック上部が、前記環状帯部と、渡し帯部とを含み、
前記環状帯部が、前記ボード部の一対の長辺部に沿う一対の長手帯部分を含み、
前記渡し帯部が、前記ボード部の上面に沿って前記一対の長手帯部分どうしを結ぶように架け渡されていることが好ましい。
これによって、ソック上部を、ボード部に上方から被せるようにして容易かつ確実に係着できる。
【０００８】
前記長手帯部分の長手方向に離れた複数箇所にそれぞれ前記渡し帯部が設けられていることが好ましい。
これによって、ソック上部をボード部に安定的に係着できる。
好ましくは、渡し帯部の配置位置は、送風ダクトと干渉しないように設定される。
【０００９】
前記環状帯部の周縁部に沿って線ファスナーが設けられており、前記ソックダクト部と前記環状帯部とが前記線ファスナーを介して接続されていることが好ましい。
これによって、掃除その他のメンテナンスなどに際して、ソックダクト部をソック上部ひいてはボード部から簡単に取り外したり、簡単に取り付けたりできる。
【００１０】
前記ソックダクト部が、半円筒状の主シート部と、前記主シート部の両端部に設けられた一対の半円状の端シート部を含むことが好ましい。
一対の端シート部によってソックダクト部の両端部が塞がれる。
【００１１】
前記ボード部が、硬質発泡樹脂からなるボード本体と、前記ボード本体の表面に被覆された金属からなる表面層とを含むことが好ましい。
これによって、ボード部を軽量化でき、かつ耐熱性、防火性を確保できる。
発泡樹脂を硬質とすることによって、ボード本体の自己形状保持性を確保できる。
前記ボード本体は、独立気泡の発泡樹脂製であることが好ましい。これによって、内部結露を防止でき、耐湿性を向上できる。
【発明の効果】
【００１２】
本発明によれば、ソックダクト装置における掃除などのメンテナンスの負担を軽減でき、かつ空調エアを室内空間に効率的に供給できる。
【図面の簡単な説明】
【００１３】
【図１】図１は、本発明の第１実施形態に係るソックダクト装置を含む空調設備を、図２のＩ−Ｉ線に沿って示す正面断面図である。
【図２】図２は、図１のＩＩ−ＩＩ線に沿う前記空調設備の側面断面図である。
【図３】図３は、前記ソックダクト装置の分解斜視図である。
【図４】図４は、前記ソックダクト装置を組状態で示す斜視図である。
【図５】図５は、図１の円部Ｖの拡大断面図である。
【図６】図６は、図１の円部ＶＩの拡大断面図である。
【図７】図７は、本発明の第２実施形態に係るソックダクト装置を含む空調設備を、図８のＶＩＩ−ＶＩＩ線に沿って示す正面断面図である。
【図８】図８は、図７のＶＩＩＩ−ＶＩＩＩ線に沿う前記第２実施形態の空調設備の側面断面図である。
【図９】図９は、前記第２実施形態のソックダクト装置の分解斜視図である。
【図１０】図１０は、前記第２実施形態のソックダクト装置を組状態で示す斜視図である。
【図１１】図１１は、図７の円部ＸＩの拡大断面図である。
【発明を実施するための形態】
【００１４】
以下、本発明の実施形態を図面にしたがって説明する。
＜第１実施形態＞
図１及び図２は、建物の天井１に設置された空調設備２を示したものである。図１に示すように、空調設備２は、送風ダクト１０と、ソックダクト装置２０を含む。送風ダクト１０は、断面四角形状に形成され、図１の紙面と直交する方向（図２の左右方向）へ長く延びている。送風ダクト１０の主材は、例えばポリイソシアヌレートなどの硬質発泡樹脂によって構成されている。送風ダクト１０の外周面及び内周面は、アルミ箔又はアルミシート等の金属層によって被覆されている。
【００１５】
送風ダクト１０は、図示しない吊支持装置を介して天井躯体１ａに吊支持されることで、天井躯体１ａとその下方の天井板１ｂとの間の天井裏空間１ｄに水平に配管されている。図示は省略するが、送風ダクト１０の上流端には、空調機が接続されている。図２に示すように、送風ダクト１０の延び方向の複数箇所から短筒形状の分岐ダクト１１が下方へ分岐されている。
【００１６】
図１及び図２に示すように、天井１には複数のソックダクト装置２０が間隔を置いて設置されている。各ソックダクト装置２０が、１又は複数（図２では２つ）の分岐ダクト１１を介して送風ダクト１０と連なっている。
図１〜図４に示すように、ソックダクト装置２０は、ボード部４０と、ソック部２１を備え、図１の紙面と直交する水平方向へ延びている。なお、図３及び図４においては作図の都合上、ソックダクト装置２０の幅寸法が長手寸法に対して誇張されている。
【００１７】
図３に示すように、ボード部４０の形状は、平らな長板状になっている。図５に示すように、ボード部４０は、ボード本体４１と、表面層４２を含む。ボード本体４１は、好ましくは独立気泡の硬質発泡樹脂によって構成されており、より好ましくはポリイソシアヌレートフォームによって構成されている。ボード本体４１の表面（上面、下面及び外周縁）は表面層４２によって被覆されている。表面層４２は、アルミ箔又はアルミシート等の金属によって構成されている。
【００１８】
図３に示すように、ボード部４０には、２つ（複数）の接続穴４３（接続部）が形成されている。これら接続穴４３は、互いにボード部４０の長手方向に離れて配置されている。接続穴４３は、ボード部４０を厚み方向に貫通している。
【００１９】
図１及び図２に示すように、ボード部４０は、天井板１ｂの下側に配置されている。各分岐ダクト１１の下端部が、天井板１ｂを貫通して接続穴４３に挿し込まれている。これによって、接続穴４３（接続部）が分岐ダクト１１を介して送風ダクト１０と接続されている。図５に示すように、分岐ダクト１１の外周面と接続穴４３の内周面との間は、粘着層１２ｃ付きの断熱性発泡樹脂テープ１２及びコーキング材１３によってシールされている。
ボード部４０における、接続穴４３の数ひいては分岐ダクト１１との接続数は、２つに限られず、１つでもよく、３つ以上でもよい。
【００２０】
ボード部４０ひいてはソックダクト装置２０は、次のようにして天井１に吊支持されている。
図１及び図２に示すように、天井１には吊支持装置３０が設けられている。なお、吊支持装置３０は、前記送風ダクト１０用の図示しない吊支持装置とは別物である。
図２に示すように、吊支持装置３０は、複数の吊支持フレーム３０ｆを含む。これら吊支持フレーム３０ｆは、互いにボード部４０の長手方向に離れて配置されている。図１に示すように、各吊支持フレーム３０ｆは、一対の吊柱３１と、梁材３２と、一対の連結吊材３３を含む。
【００２１】
図１に示すように、一対の吊柱３１は、送風ダクト１０を挟んでその幅方向（図１において左右）の両側に設けられている。各吊柱３１は、例えば寸切ボルトによって構成され、天井躯体１ａから鉛直に垂下されている。一対の吊柱３１の下端部どうし間に梁材３２が架け渡されている。梁材３２は、例えば断面Ｌ字状のアングル材によって構成されている。該梁材３２が、送風ダクト１０の下方を幅方向（図１において左右）に横切っている。梁材３２から２つ（複数）の連結吊材３３が鉛直に垂下されている。連結吊材３３は、吊柱３１より短いネジ部材によって構成されている。各連結吊材３３の下端部が、天井板１ｂ及びボード部４０を貫通している。連結吊材３３の下端部にはキャップ３７が嵌合されている。キャップ３７の筒部３７ａが、連結吊材３３の外周面とボード部４０の貫通孔４４の内周面との間に嵌め込まれている。キャップ３７の鍔３７ｆが、ボード部４０の下面に宛がわれている。かつ、ボード部４０が、天井板１ｂに宛がわれている。
【００２２】
図１及び図４に示すように、ソック部２１は、ソックダクト部２３と、ソック上部２２を含む。図３に示すように、ソックダクト部２３は、半円筒のシート状になっている。詳しくは、ソックダクト部２３は、主シート部２３ａと、一対の端シート部２３ｅを含む。主シート部２３ａは、展開すると長方形状であり、使用状態においては半円筒状をなす。主シート部２３ａの長手方向の両端部にそれぞれ半円状の端シート部２３ｅが設けられている。一対の端シート部２３ｅによってソックダクト装置２０の長手方向の両端部が塞がれている。主シート部２３ａと端シート部２３ｅとは、縫製によって接合されている。
【００２３】
図６に示すように、ソックダクト部２３（主シート部２３ａ及び端シート部２３ｅ）の断面構造は、ガラスクロス層２３ｂと、不織布層２３ｄの積層構造になっている。ガラスクロス層２３ｂは、ソックダクト部２３の内面側（図６において上側）に配置されている。不織布層２３ｄは、ソックダクト部２３の外面側（図６において下側）に配置されている。これらガラスクロス層２３ｂと不織布層２３ｄとが、接着層（図示せず）を介して接合されている。ガラスクロス層２３ｂ及び不織布層２３ｄは、共に通気性を有している。ひいては、ソックダクト部２３は通気性を有している。
【００２４】
図１及び図４に示すように、ソックダクト部２３は、ボード部４０を下方から覆うように設けられている。ソックダクト部２３とボード部４０との間に通気層２０ａが形成されている。ソックダクト部２３の周縁部が、ソック上部２２を介してボード部４０の周縁部に接続されている。
【００２５】
図３に示すように、ソック上部２２は、環状帯部２４と、複数の渡し帯部２６を含む。詳細な図示は省略するが、環状帯部２４及び渡し帯部２６は、ソックダクト部２３と同様に、ガラスクロス層と不織布層との積層構造になっている。なお、ソック上部２２（環状帯部２４及び渡し帯部２６）の材質は、ソックダクト部２３とは異なっていてもよい。環状帯部２４と渡し帯部２６とが互いに異なる材質によって構成されていてもよい。ソック上部２２が織布によって構成されていてもよい。ソック上部２２は、必ずしも通気性を有していなくてもよい。
【００２６】
図４に示すように、環状帯部２４は、一対の長手帯部分２４ａと、一対の短手帯部分２４ｂを含み、ボード部４０の周縁部に沿う環状になっている。長手帯部分２４ａが、ボード部４０の一対の長辺部にそれぞれ沿うように配置されている。短手帯部分２４ｂは、ボード部４０の一対の短辺部にそれぞれ沿うように配置されている。
【００２７】
図４に示すように、各帯部分２４ａ，２４ｂが、帯幅方向の中間部において、ボード部４０の外周縁の上側の角に沿ってＬ字状に折り曲げられている。図５に示すように、環状帯部２４の上側部分は、ボード部４０の上面に沿わされている。環状帯部２４の下側部分は、ボード部４０より下方へ垂れている。
【００２８】
図４に示すように、環状帯部２４の長手帯部分２４ａの長手方向に離れた複数箇所にそれぞれ渡し帯部２６が設けられている。渡し帯部２６は、一対の長手帯部分２４ａどうしを結ぶようにソック上部２２の短手方向へ架け渡されている。渡し帯部２６の両端部が、それぞれ対応する長手帯部分２４ａに接続されている。長手帯部分２４ａと渡し帯部２６との接続手段としては、面ファスナー、ボタン止め、縫製、接着、溶着などが挙げられる。
渡し帯部２６は、ボード部４０の上面に沿って配置されている。これによって、ソック上部２２が、ボード部４０に上方から被さるようにして係着されている。
【００２９】
隣接する渡し帯部２６どうし間、及び端側の渡し帯部２６と短手帯部分２４ｂとの間には、格子開口部２２ｃが形成されている。所定位置の格子開口部２２ｃが、ボード部４０の接続穴４３と連通している。該所定位置の格子開口部２２ｃの内部に分岐ダクト１１が通されている。逆に言うと、渡し帯部２６は、分岐ダクト１１と干渉しないように配置及びピッチが設定されている。
【００３０】
図３及び図４に示すように、ソック上部２２とソックダクト部２３の周縁部とが分離可能に接続されている。ソック上部２２の環状帯部２４とソックダクト部２３との間には、線ファスナー２５が設けられている。線ファスナー２５は、環状帯部２４に沿って環状に延びている。線ファスナー２５は、環状帯部２４の周方向に複数に分割されていてもよい。
【００３１】
線ファスナー２５は、第１ファスナー部２５ａと、第２ファスナー部２５ｂを含む。第１ファスナー部２５ａは、環状帯部２４の下端部（周縁部）に沿って設けられている。第２ファスナー部２５ｂは、ソックダクト部２３の周縁部に沿って設けられている。図５に示すように、ファスナー部２５ａ，２５ｂどうしが噛み合わされることで、線ファスナー２５を介して、ソック上部２２とソックダクト部２３とが分離可能に接続されている。ひいては、ソック上部２２を介して、ボード部４０とソックダクト部２３とが分離可能に接続されている。
【００３２】
図５に示すように、ソックダクト部２３における線ファスナー２５より上側の端部分２３ｆは、面状ファスナー２７を介してソック上部２２に重ねられて接合されている。さらに、縁用粘着テープ２８が、ソックダクト部２３の端部分２３ｆの外面からソック上部２２の外面に跨って貼り付けられている。これによって、通気層２０ａの空調エアが、ソックダクト部２３とソックダクト部２３との間から漏れ出るのが防止されている。
【００３３】
当該空調設備１においては、不図示の空調機からの空調エアが、送風ダクト１０から各分岐ダクト１１ｂを経て、ソックダクト装置２０の通気層２０ａに導入されるとともに、通気層２０ａの全域に拡散される。該空調エアの送風圧によって、ソックダクト部２３がボード部４０の下方へ半円筒状に膨張される。更に、空調エアは、ソックダクト部２３を透過して、天井１の下方の室内空間へ吹き出される。吹き出し流は、前記透過によって穏やかな流れになる。
空調エアは、下方の室内空間へだけ吹き出され、ソックダクト装置２０の上方の天井裏空間１ｄへは吹き出されることがない。これによって、室内空間への空調エアの供給効率が高まる。
室内から見ると、半円筒状のソックダクト部２３が天井板１ｂから下方へ膨出しているように見え、天井面の美観を向上できる。
掃除などのメンテナンスに際しては、線ファスナー２５の開閉操作によって、ソックダクト部２３をソック上部２１ひいてはボード部４０から簡単に取り外したり取り付けたりできる。
ソックダクト部２３は、取り外して掃除機にかけることで、簡単に掃除でき、内側面の目詰まりを解消できる。
ソックダクト装置２０の上面は、天井板１ｂの下面に宛がわれているから塵埃が付着しにくく汚れにくい。したがって、掃除などのメンテナンスの負担を軽減できる。
【００３４】
ボード部４０のボード本体４１を平板状にすることによって、天井１におけるソックダクト装置２０を配置するための所要スペースを小さくできる。特に高さ方向の所要スペースを小さくできる。
ボード本体４１の材質としてポリイソシアヌレートフォームなどの硬質発泡樹脂を用いることによって、ボード部４０を軽量化でき、施工を容易化できる。かつボード部４０の自己形状保持力などの所要剛性を確保できる。更には、断熱・保温性、防水・防湿性、難燃・不燃性を確保できる。さらにボード本体４１をアルミなどの金属表面層４２によって被覆することによって、不燃性、耐熱性が一層高まる。
【００３５】
次に、本発明の他の実施形態を説明する。以下の実施形態において既述の形態と重複する構成に関しては図面に同一符号を付して説明を適宜省略する。
＜第２実施形態＞
図７〜図１１は、本発明の第２実施形態を示したものである。図９に示すように、第２実施形態においては、ソック上部２２Ｂが、環状帯部だけで構成されており、渡し帯部が設けられていない。更に、ソック上部２２Ｂ（環状帯部）は、２つ（複数）の帯部分２９に分割されている。
【００３６】
帯部分２９は、ソックダクト部２３と同じく、ガラスクロス層と不織布層との積層構造になっている（図６参照）。
なお、帯部分２９の材質は、ソックダクト部２３とは異なっていてもよい。帯部分２９が織布によって構成されていてもよい。帯部分２９は、必ずしも通気性を有していなくてもよい。
【００３７】
図９及び図１０に示すように、各帯部分２９は、ボード部４０の１の長辺側の縁と１の短辺側の縁に沿ってボード部４０を半周するように平面視でＬ字状に延びている。２つの帯部分２９が、ボード部４０の外周縁を一周するように環状に連なっている。さらに、ボード部４０の外周縁の上側の角に沿って、帯部分２９の帯幅方向の中間部がＬ字状に折り曲げられている。
【００３８】
ソック上部２２Ｂは、次のようにしてボード部４０に係着されている。
図７及び図８に示すように、天井板１ｂの一部が開口され、該開口にボード部４０が嵌められることで、ボード部４０が天井板１ｂとほぼ面一に配置されている。図１１に示すように、ボード部４０の外周縁と天井板１ｂとの間には、一対の断面Ｌ字状の目張り材４６，４６が挟まれている。これら目張り材４６，４６どうし間に帯部分２９が挟まれている。帯部分２９の上側部分は、水平に折り曲げられて、ボード部４０の上面に沿わされている。さらに、帯部分２９の上側部分及び目張り材４６が、ビス４７によってボード部４０に固定されている。
なお、図７に示すように、ボード部４０の吊支持用の連結吊材３３は、下端部がボード部４０を貫通している。該連結吊材３３の下端部にナット３４が設けられている。ボード部４０が、ナット３４のワッシャ３５に載せられて支持されている。好ましくは、ナット３４及びワッシャ３５はコーキング材３６によって被覆されている。
【００３９】
図１１に示すように、帯部分２９の下側部分は、ボード部４０より下方へ垂れている。
図９及び図１０に示すように、各帯部分２９の下端部とソックダクト部２３との間には、線ファスナー２５が設けられている。各線ファスナー２５は、対応する帯部分２９に合わせて、ボード部４０の１の長辺側の縁と１の短辺側の縁に沿ってボード部４０を半周している。２つの線ファスナー２５によってボード部４０の外周縁を一周している。
【００４０】
図９及び図１１に示すように、線ファスナー２５の第１ファスナー部２５ａは、帯部分２９の下端縁に沿って設けられている。第２ファスナー部２５ｂは、ソックダクト部２３の周縁部に沿って設けられている。ファスナー部２５ａ，２５ｂどうしが噛み合わされることで、線ファスナー２５を介して、帯部分２９ひいてはボード部４０と、ソックダクト部２３とが、分離可能に接続されている。
【００４１】
図７及び図１０に示すように、ボード部４０には一対の補強バー４５が付加されている。補強バー４５は、ボード部４０の上面における一対の長辺側の縁部に沿って配置されている。補強バー４５の材質は金属であるが樹脂であってもよい。これら補強バー４５によってボード部４０が補強されている。
ボード部４０における補強バー４５の数は、一対（２つ）に限られず、１つでもよく、３つ以上でもよい。
【００４２】
第２実施形態においては、ボード部４０が天井板１ｂの一部を構成している。天井裏空間１ｄの塵埃は、主にボード部４０の上面に付着して堆積する。したがって、掃除などのメンテナンスの負担を軽減できる。
掃除などのメンテナンスに際しては、線ファスナー２５の開閉操作によって、ソックダクト部２３を帯部分２９ひいてはボード部４０から簡単に取り外したり取り付けたりできる。
天井裏空間１ｄの塵埃は、ソックダクト装置２０の主にボード部４０及びソック上部２１の上面に付着して堆積する。ソックダクト部２３の外側面は、下方へ向けられるために塵埃が付着しにくい。したがって、掃除などのメンテナンスの負担を軽減できる。
【００４３】
本発明は、前記実施形態に限定されるものではなく、その趣旨を逸脱しない範囲において種々の改変をなすことができる。
例えば、ソックダクト部２３の形状は、半円筒形状に限られず、半球面形状でもよく、四角筒形状でもよい。端シート部２３ｅが四半球面形状であってもよい。
ボード部４０の形状は、長方形に限られず、円形であってもよい。
ソック上部２２を省略してもよい。ソックダクト部２３をボード部４０に直接接続してもよい。
送風ダクト１０は、円形断面であってもよい。
吊支持装置３０が、送風ダクト１０の吊支持手段と、ソックダクト装置２０の吊支持手段を兼ねていてもよい。
ソックダクト部２３の片側又は両側の端シート部２３ｅにも、送風ダクト１０との接続部が設けられていてもよい。
【産業上の利用可能性】
【００４４】
本発明は、例えば建物の厨房その他の空調設備に適用できる。
【符号の説明】
【００４５】
１            天井
２            空調設備
１０          送風ダクト
２０，２０Ｂ  ソックダクト装置
２０ａ        通気層
２１          ソック部
２２          ソック上部
２２Ｂ        ソック上部（環状帯部）
２３          ソックダクト部
２３ａ        主シート部
２３ｅ        端シート部
２４          環状帯部
２４ａ        長手帯部分
２４ｂ        短手帯部分
２５          線ファスナー
２５ａ        第１ファスナー部
２５ｂ        第２ファスナー部
２６          渡し帯部
２９          帯部分
３０          吊支持装置
４０          ボード部
４１          ボード本体
４２          表面層
４３          接続穴（接続部）
【図１】
2020020535.tif 000003
【図２】
2020020535.tif 000004
【図３】
2020020535.tif 000005
【図４】
2020020535.tif 000006
【図５】
2020020535.tif 000007
【図６】
2020020535.tif 000008
【図７】
2020020535.tif 000009
【図８】
2020020535.tif 000010
【図９】
2020020535.tif 000011
【図１０】
2020020535.tif 000012
【図１１】
2020020535.tif 000013